(57)【要約】      （修正有）【課題】切り目によって形成された正面板係止片と背面板係止片とによって挟んで取り付けることができ、従来のような取り付けるためのタグピン、接着剤、ファイバー部材などの副資材を全く必要としなく、生地の損傷や汚損がなくなると共に、取り付けられたタグは整然としていて表示部が見やすい商品タグの提供。【解決手段】ズボンのベルトループＢに取り付ける商品タグであって、正面板３と背面板４が折り目２によって二つ折りされる。折り目２を中心として略Ｓ字状の切り目５を刻設して正面板係止片６と背面板係止片７を設ける。正面板３と背面板４に商標、品質、製造元、販売元、品番、サイズ、定価、洗濯の注意書などの表示部９，１０，１１，１２を表示する。【選択図】図３
0003102007.tif 000002
【実用新案登録請求の範囲】
【請求項１】
ズボンのベルトループに取り付ける商品タグであって、正面板と背面板が折り目によって二つ折りされており、その折り目を中心として略Ｓ字状の切り目を刻設して正面板係止片と背面板係止片を設けると共に、正面板と背面板に商標、品質、製造元、販売元、品番、サイズ、定価、洗濯の注意書などの表示部を表示してあることを特徴とする商品タグ。
【請求項２】
背面板が正面板より長くなるように二つ折りされており、正面板より突出する背面板の裏面部に品番、色、品質などの表示部を表示してある請求項１に記載の商品タグ。
【請求項３】
正面板に透孔を穿設してあり、その透孔位置と合致する背面板の裏面部にサイズ表示部を表示してある請求項１または２に記載の商品タグ。
【考案の詳細な説明】
【技術分野】
【０００１】
本考案は、衣料品に取り付けるのに適したタグに関するもので、さらに詳しくは、主としてズボンのベルトループに取り付けるのに適した商品タグに関するものである。
【背景技術】
【０００２】
従来から、衣料品には、商標、商品名、品質、サイズ、製造元、販売元、価格、洗濯の注意書などの各種情報を表示したタグが必ず取り付けられている。衣料品によっては、それらのタグが数枚添付されたものもある。例えば、ズボンに取り付けられるタグは、一般的にタグの上部に穿設した小孔に糸を挿通して環状にしてベルトループやボタン孔に通して結着していた。
【０００３】
この糸による取り付けタグは、取り付けるのが非常に面倒で時間がかかるばかりでなく、取り付けた後においてはタグが裏返ったり、斜めになったりすることから表示部が見えなかったり、見にくかったりすることが多かった。また、糸が簡単に切断されて脱落すると言う問題点があった。
【０００４】
上記の糸による問題点を解消するものとして鋏やカッターで切断しない限り外すことができないプラスチック製のファイバー材を用いたものも知られている。このプラスチック製のファイバー材は、その一端部に雌部材の嵌合筒を一体に設け、その嵌合筒の内面に環状の係止部を備えており、他端部に雄部材の係合部を設け、その係合部が嵌合筒内の係止部と係合するものである。
【０００５】
このプラスチック製のファイバー材は、雄部材の係合部を雌部材の嵌合筒に入れて係止部と係合しなければならず手間がかかると共に、係合した後は外すことができず、鋏やカッターで切り取らなければ取り替えられなかった。ところが、商品に一旦添付したタグを取り替えなければならないことがある。例えば、バーゲン期間中だけ特別価格を表示したタグを商品に取り付け、バーゲン期間が過ぎるとそのタグを取り替えることがおこなわれているが、その時に鋏やカッターで切り取らなければならず不便であった。
【０００６】
また、別のものとしてタグの裏面に強粘着性のノリを塗布し、そのノリ面に剥離紙を添付したものがある。そして、使用時に剥離紙を剥がしてノリ面を衣料品の所定の添付箇所に貼り付けることも行われている。
【０００７】
このノリ面による添付の場合は、一旦添付した後で浮き剥がれを生じないように、強粘着性のノリが用いられていることから、その商品からタグを剥がしにくく、剥がした後にはノリが商品に残り汚損すると言った問題があった。
【０００８】
さらに別なものとして、合成樹脂の係止片（タグピン）を専用の打ち機を用いてタグを効率的に取り付けることが行われている。この係止片は一端を矢印形頭部に、その頭部の中央から直交して伸びるフィラメント部と、このフィラメント部の端部に直交して固定された横棒部とからなる略Ｈ形状に形成したものであリ、専用の打ち機によって取り付けられる。（例えば、特許文献１〜３）
【特許文献１】特公昭５２−２０２４０号公報
【特許文献２】特公昭５３−４２０７７号公報
【特許文献３】実用新案登録第２５３８９７６号公報
【考案の開示】
【考案が解決しようとする課題】
【０００９】
しかしながら、上記のタグピンによる取り付けは、合成樹脂によって頭部と、フィラメント部と、横棒部が一体的に成形されているため、フィラメントがかなり硬くなっている。この硬いフィラメント部を繊細な繊維製品に打ち込んで取り付けると、この商品を損傷する虞があった。また、繊細な繊維製品に合成樹脂の硬いフィラメント部を貫通することは、柔らかい商品とフィラメントとの間に違和感がある上に、その繊維製品の表面よりフィラメント部に支持された頭部が直立するようなことがあり、商品価値に影響を与えると言った問題点があった。
【００１０】
本考案は、上記の問題点を解決することを課題として開発されたもので、切り目によって形成された正面板係止片と背面板係止片とによって挟んで簡単に取り付けることができ、従来のような取り付けるためのファイバー部材やタグピン、接着剤などの副資材を全く必要としなく、生地の損傷や汚損がなくなると共に、取り付けられたタグは整然としていて表示部が見やすい商品タグを提供することを目的とするものである。
【課題を解決するための手段】
【００１１】
上記の課題を解決し、その目的を達成する手段として、本考案は、ズボンのベルトループに取り付ける商品タグであって、正面板と背面板が折り目によって二つ折りされており、その折り目を中心として略Ｓ字状の切り目を刻設して正面板係止片と背面板係止片を設けると共に、正面板と背面板に商標、品質、製造元、販売元、品番、サイズ、定価、洗濯の注意書などの表示部を表示してなる商品タグを開発し、採用した。
【００１２】
また、上記のように構成した商品タグにおいて、背面板が正面板より長くなるように二つ折りされており、正面板より突出する背面板の裏面部に品番、色、品質などの表示部を表示してある商品タグ、および正面板に透孔を穿設してあり、その透孔位置と合致する背面板の裏面部にサイズ表示部を表示してある商品タグを開発し、採用した。
【考案の効果】
【００１３】
本考案の請求項１記載の考案は、タグ自体に形成した二つの係止片と切り目によってベルトループに挟むようになっているから極めて容易に取り付けられる。また、タグが反転したり、傾いたりせず取り付けられるので、各種の情報表示部を正確に読み取る事ができる。また、係止片による取り付けであり、タグピンや粘着テープなどの副資材を用いないので、安価で経済的となり、かつ生地を損傷させたり、汚したりする事がない。
【００１４】
また、請求項２記載の考案は、背面板が正面板より長くなるように二つ折りされており、その背面板の突出部の裏面に表示部を表示してあるから、前記請求項１記載の効果に加えて、商品の情報表示部を一見できる便利性がある。また、二つ折りされることから、背面板の裏面部に表示した表示部を見ることができ、表示できる箇所が増えて便利である。
【００１５】
さらに、請求項３記載の考案は、正面板に透孔を穿設し、その透孔位置と合致する背面版の裏面にサイズ表示部を表示してあるから、請求項１および２に記載の効果に加えて、透孔からサイズが現れて一見して確認でき、わざわざズボンに表示されているサイズ票を確認する必要がなくなる。
【考案を実施するための最良の形態】
【００１６】
以下に、本考案の実施の形態を添付図面に基づいて説明すれば、１はズボンのベルトループＢに取り付ける縦長の長方形状に形成したタグ本体であり、比較的厚い紙やプラスチック製シートなどからなっている。
【００１７】
このタグ本体１には、長さ方向の中央部より手前の位置に折り目２を設けてあり、その折り目２を山折りして長さの短い正面板３と長さの長い後面板４とに二つ折りされる。５は折り目２を中心として刻設された概略Ｓ字状の切り目であり、その切り目５で囲まれた内面に相反する方向に開口する正面板係止片６と後面板係止片７を形成してある。
【００１８】
正面板３の下端部には円形の透孔８を穿設してあり、表面部には例えば、文字商標や図形商標、商品名、色などの表示部９を表示し、後面板４の表面部４ａには、洗濯注意書や取り扱い注意書、製造会社、販売会社等の表示部１０が表示してある。また、後面板４の裏面部４ｂの上部には、文字商標や図形商標などの表示部９が表示していると共に、前述の正面板３の下端部に穿設した孔８と合致する位置にウエストサイズ表示部１１およびその下端部に品質表示部１２部が印刷してある。
【００１９】
このように構成した本考案の実施の形態に基づいて、その使用状態を作用、効果と共に説明すると、タグ本体１を図２の底面の状態として、前面板３を鋭角に折り曲げて後面板係止片７を切り起し右側からベルトループＢの内側に挿通する（図５Ａ）。この時、前面板３と後面板４の境界部、すなわち、折り目２の一端部を持って横方向にスライドさせることによってスムーズにベルトループＢの内側に差し込むことができ、切り目４と後面板係止片７によって挟着される。
【００２０】
つぎに、正面板３を後面板４と合致するように下方に向かって折り曲げると前面板係止片６がベルトループＢの端部を被覆することになる（図５Ｂ）。その後、前面板係止片６を上方に切り起す（図５Ｃ）。その前面板切り起し係止片６を左側からベルトループＢの内側に挿通する（図５Ｄ）。そうすると、切り目４と前面板係止片６によって挟着される。すなわち、切り目４と後面板係止片７と、切り目４と前面板係止片６とによって挟着されるので、外れたり、ずれ動いたりたりすることがなく、整然と取り付けることができる。仮にタグ主体１を取り替えなければならないことが生じた場合には、取り付け順序と逆の順序で行えば簡単に取り外すことができる。
【００２１】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００２２】
本考案はズボンだけでなく、タグを取り付けることができる紐状の部分を有する衣類、例えば、ブラジャ、ボディスーツ、スリップ、水着、レオタード、エプロンなどの衣料品や袋物あるいは手提げバッグ等の商品タグとしても利用できるものである。
【図面の簡単な説明】
【００２３】
【図１】タグの展開平面図である。
【図２】タグの展開底面図である。
【図３】タグをズボンのベルトループに取り付けた状態の正面図である。
【図４】図３のＡ−Ａ線拡大断面図である。
【図５Ａ】背面係止片をベルトループに係止する状態の簡略斜視図である。
【図５Ｂ】正面板を折り返した状態の簡略斜視図である。
【図５Ｃ】正面板係止片を切り起こした状態の簡略斜視図である。
【図５Ｄ】正面板係止片を切り起こしてベルトループの内面側に入れる状態の簡略斜視図である。
【符号の説明】
【００２４】
１  タグ本体
２  折り目
３  正面板
４  背面板
５  切り目
６  正面板係止片
７  背面板係止片
８  透孔
９〜１２  表示部
【図１】
0003102007.tif 000003
【図２】
0003102007.tif 000004
【図３】
0003102007.tif 000005
【図４】
0003102007.tif 000006
【図５Ａ】
0003102007.tif 000007
【図５Ｂ】
0003102007.tif 000008
【図５Ｃ】
0003102007.tif 000009
【図５Ｄ】
0003102007.tif 000010